(57)【要約】【課題】  位置確認機能に重点を置いた携帯電話端末装置を提供する。【解決手段】  自装置が登録されている移動先以外の位置に有るときには当該位置の情報を所定の宛先に通知する。また、自装置が登録されている移動先以外の位置に有るときには予め設定されている位置監視実行時間帯以外の時間帯であっても位置の情報を所定の宛先に通知する。また、自装置本体の電源がＯＦＦ状態であっても予め設定された位置確認タイミングにおいては最低限必要となる位置監視機能に限定して電源をＯＮ状態とする。また、不揮発メモリに位置情報または自装置の待ち受けしている基地局の情報または自装置が圏内であるかあるいは圏外であるかの情報を現在時刻情報と共に記録する。また、自装置が圏外に有るときには位置情報の通知を禁止し、自装置が圏外から圏内に復帰したときには即座に位置情報を送信する。【選択図】  図１
2007195034.tif 000002
【特許請求の範囲】
【請求項１】
自装置の位置測定手段と、この位置測定手段により測定した自装置の位置情報を所定の宛先に通知する位置情報通知手段とを備えた携帯電話端末装置において、
予めユーザが移動先情報を登録するスケジュール管理手段が設けられ、
前記通知手段は、自装置がこのスケジュール管理手段に登録されている移動先以外の位置に有るときには当該位置の情報を所定の宛先に通知する手段を備えた
ことを特徴とする携帯電話端末装置。
【請求項２】
位置情報通知の実行時間帯を予めユーザにより設定された時間帯に限定する監視時間管理手段を備え、
前記通知手段は、自装置が前記スケジュール管理手段に登録されている移動先以外の位置に有るときには前記監視時間管理手段に予め設定されている前記実行時間帯以外の時間帯であっても当該位置の情報を所定の宛先に通知する手段を備えた
請求項１記載の携帯電話端末装置。
【請求項３】
自装置本体の電源がＯＦＦ状態であっても予め設定された位置確認タイミングにおいては前記位置測定手段および前記通知手段の動作に最低限必要となる機能に限定して電源をＯＮ状態とする手段を備えた請求項１記載の携帯電話端末装置。
【請求項４】
自装置が前記スケジュール管理手段に登録されている移動先以外の位置に所定時間以上有り、電源がＯＮ状態であるときには、電源をＯＦＦ状態とする手段を備えた請求項３記載の携帯電話端末装置。
【請求項５】
不揮発メモリを備え、この不揮発メモリに前記位置測定手段により測定した位置情報または自装置の待ち受けしている基地局の情報または自装置が圏内であるかあるいは圏外であるかの情報を現在時刻情報と共に記録する手段を備えた請求項１記載の携帯電話端末装置。
【請求項６】
前記通知手段は、自装置が圏外に有るときには位置情報の通知を禁止する手段を備えた請求項１記載の携帯電話端末装置。
【請求項７】
前記通知手段は、自装置が圏外から圏内に復帰したときには即座に位置情報を送信する手段を備えた請求項１記載の携帯電話端末装置。
【請求項８】
前記送信する手段は、前記不揮発メモリ内の未送信情報を検索して当該未送信情報を送信する手段を備えた請求項５または７記載の携帯電話端末装置。
【請求項９】
前記通知手段は、自装置が前記スケジュール管理手段に登録されている移動先以外の位置に有るときであっても前回通知した位置に変更が生じるまでは位置情報の通知を禁止する手段を備えた請求項１記載の携帯電話端末装置。
【請求項１０】
前記通知手段は、自装置が待ち受けている基地局に変更が生じたときには位置情報の通知を行う手段を備えた請求項１記載の携帯電話端末装置。
【請求項１１】
前記通知手段は、位置情報の通知を、自装置が前記スケジュール管理手段に登録されている移動先以外の位置に有るときには自装置が前記スケジュール管理手段に登録されている移動先以外の位置にいないときと比べて短い周期で実行する手段を備えた請求項１記載の携帯電話端末装置。
【請求項１２】
前記通知手段は、自装置の電池残量に応じて位置情報の通知を実行する周期を変更する手段を備えた請求項１記載の携帯電話端末装置。
【請求項１３】
自装置の位置を測定し、この測定した自装置の位置情報を所定の宛先に通知する携帯電話端末装置が実行する位置情報通知方法において、
自装置がユーザによって予め登録されている移動先以外の位置に有るときには当該位置の情報を所定の宛先に通知することを特徴とする位置情報通知方法。
【請求項１４】
自装置がユーザによって予め登録されている移動先以外の位置に有るときにはユーザによって予め設定されている位置情報通知の実行時間帯以外の時間帯であっても当該位置の情報を所定の宛先に通知する請求項１３記載の位置情報通知方法。
【請求項１５】
自装置本体の電源がＯＦＦ状態であっても予め設定された位置確認タイミングにおいては位置測定および位置情報通知の動作に最低限必要となる機能に限定して電源をＯＮ状態とする請求項１３記載の位置情報通知方法。
【請求項１６】
自装置が予め登録されている移動先以外の位置に所定時間以上有り、電源がＯＮ状態であるときには、電源をＯＦＦ状態とする請求項１５記載の位置情報通知方法。
【請求項１７】
不揮発メモリに測定した位置情報または自装置の待ち受けしている基地局の情報または自装置が圏内であるかあるいは圏外であるかの情報を現在時刻情報と共に記録する請求項１３記載の位置情報通知方法。
【請求項１８】
自装置が圏外に有るときには位置情報の通知を禁止する請求項１３記載の位置情報通知方法。
【請求項１９】
自装置が圏外から圏内に復帰したときには即座に位置情報を送信する請求項１３記載の位置情報通知方法。
【請求項２０】
自装置が圏外から圏内に復帰したときには即座に位置情報を送信する際に、前記不揮発メモリ内の未送信情報を検索して当該未送信情報を送信する請求項１７または１９記載の位置情報通知方法。
【請求項２１】
自装置が予めユーザによって登録されている移動先以外の位置に有るときであっても前回通知した位置に変更が生じるまでは位置情報の通知を禁止する請求項１３記載の位置情報通知方法。
【請求項２２】
自装置が待ち受けている基地局に変更が生じたときには位置情報の通知を行う請求項１３記載の位置情報通知方法。
【請求項２３】
位置情報の通知を、自装置がユーザによって予め登録されている移動先以外の位置に有るときには自装置がユーザによって予め登録されている移動先以外の位置にいないときと比べて短い周期で実行する請求項１３記載の位置情報通知方法。
【請求項２４】
自装置の電池残量に応じて位置情報の通知を実行する周期を変更する請求項１３記載の位置情報通知方法。
【請求項２５】
情報処理装置にインストールすることにより、その情報処理装置に、請求項１ないし１２のいずれかに記載の携帯電話端末装置における前記各手段の論理演算機能または制御機能に相応する機能を実現させるプログラム。
【発明の詳細な説明】
【技術分野】
【０００１】
本発明は、所定の人物の位置確認に利用する。特に、携帯電話端末装置を用いた位置確認技術に関する。
【背景技術】
【０００２】
近年、悪質犯罪等の増加により、子供や老人の位置を正確に追跡するシステムが求められている。従来からＧＰＳを内蔵した機器を用いた追跡システムが提供されている。例えば、ＧＰＳを内蔵した携帯電話端末装置を利用する方法が普及している（例えば、特許文献１〜５参照）。
【０００３】
【特許文献１】特開２００４−４０２４５号公報
【特許文献２】特開２００５−９４２２９号公報
【特許文献３】特開２００５−１７５８９６号公報
【特許文献４】特開平１０−２２１４２６号公報
【特許文献５】特開平１０−３３６０９３号公報
【発明の開示】
【発明が解決しようとする課題】
【０００４】
ＧＰＳを内蔵した携帯電話端末装置を利用した位置確認では、携帯電話端末装置の電源をＯＦＦ状態にしている場合には追跡できない。また、常時、位置を監視しようとすると電池寿命が短くなってしまう。なお、本明細書で、電池寿命とは、充電を要するまでに放電が進む時間のことである。
【０００５】
また、位置確認のみを目的とした携帯機器も開発されているが、携帯電話端末装置を常時携行しているユーザがこのような携帯機器も併せて携帯することは面倒であると共に、ユーザに対して携帯電話サービス利用料金と併せて位置確認サービス利用料金の負担を強いることにもなる。
【０００６】
そこで、位置確認機能に重点を置き、特化された携帯電話端末装置が望まれるが、そのような携帯電話端末装置は未だ実現されていない。上記特許文献１〜５記載の先行技術においても位置確認機能に重点を置き、特化された携帯電話端末装置を構成するために有用な技術は散見されるが、いずれも従来の課題を解決するための十分な提案はなされていない。
【０００７】
本発明は、このような背景の下に行われたものであって、位置確認機能に重点を置いた携帯電話端末装置を提供することを目的とする。
【課題を解決するための手段】
【０００８】
本発明では、位置確認タイミングと電源ＯＮ／ＯＦＦとを連動させることにより節電のために電源をＯＦＦ状態としているときでも携帯電話端末装置の位置を追跡可能とし、電池寿命を延ばすことを特徴とする。また、常時、位置を監視するのではなく、当該携帯電話端末装置のユーザのスケジュールと連動して位置を監視することにより、スケジュールどおりの位置にいるときには位置確認を行わずに節電し、スケジュールと異なった場所にいる場合の位置の追跡を優先することにより電池寿命を延ばすことを特徴とする。
【０００９】
すなわち、本発明は、自装置の位置測定手段と、この位置測定手段により測定した自装置の位置情報を所定の宛先に通知する位置情報通知手段とを備えた携帯電話端末装置である。
【００１０】
ここで、本発明の特徴とするところは、予めユーザが移動先情報を登録するスケジュール管理手段が設けられ、前記通知手段は、自装置がこのスケジュール管理手段に登録されている移動先以外の位置に有るときには当該位置の情報を所定の宛先に通知する手段を備えたところにある。
【００１１】
これにより、前述したように、常時、位置を監視するのではなく、当該携帯電話端末装置のユーザのスケジュールと連動して位置を監視することにより、スケジュールどおりの位置にいるときには位置確認を行わずに節電し、スケジュールと異なった場所にいる場合の位置の追跡を優先することにより電池寿命を延ばすことができる。
【００１２】
また、位置情報通知の実行時間帯を予めユーザにより設定された時間帯に限定する監視時間管理手段を備え、前記通知手段は、自装置が前記スケジュール管理手段に登録されている移動先以外の位置に有るときには前記監視時間管理手段に予め設定されている前記実行時間帯以外の時間帯であっても当該位置の情報を所定の宛先に通知する手段を備えることができる。
【００１３】
これにより、通常は、位置監視が不要な時間帯には位置監視を行わないことにより節電するが、ユーザがスケジュールと異なった場所にいるときには、通常、位置監視が不要な時間帯であっても位置監視を行うことにより、節電を行いつつ、有事に対応することができる。
【００１４】
また、自装置本体の電源がＯＦＦ状態であっても予め設定された位置確認タイミングにおいては前記位置測定手段および前記通知手段の動作に最低限必要となる機能に限定して電源をＯＮ状態とする手段を備えることができる。さらに、自装置が前記スケジュール管理手段に登録されている移動先以外の位置に所定時間以上有り、電源がＯＮ状態であるときには、電源をＯＦＦ状態とする手段を備えることができる。
【００１５】
これにより、位置監視のみに電池を用いることができるため、位置監視を行いつつ、電池寿命を延ばすことができる。また、有事の際には、それまでＯＮ状態であってもＯＦＦ状態とし、携帯電話端末装置のディスプレイやランプが全てＯＦＦ状態でありながら位置監視が実行できるようにし、有事の際の位置監視継続時間を延ばすことができる。さらに、犯人等に位置監視が実行されていることを察知されない利点もある。
【００１６】
また、不揮発メモリを備え、この不揮発メモリに前記位置測定手段により測定した位置情報または自装置の待ち受けしている基地局の情報または自装置が圏内であるかあるいは圏外であるかの情報を現在時刻情報と共に記録する手段を備えることができる。
【００１７】
なお、本明細書（および特許請求の範囲、要約書）で、圏内とは、携帯電話端末装置の位置が、いずれかの基地局のエリア内に含まれていて通信可能な状態をいい、圏外とは、携帯電話端末装置の位置が、いずれの基地局のエリアにも含まれずに通信不可能な状態をいう。
【００１８】
これにより、例えば、圏外であっても位置監視を続行して位置情報を蓄積し、犯人等により携帯電話端末装置が破壊され、投棄された場合でも破壊される直前までに蓄積された位置情報を警察の捜査等に利用することができる。
【００１９】
また、前記通知手段は、自装置が圏外に有るときには位置情報の通知を禁止する手段を備えることができる。これにより、不要な電力消費を無くすことができる。
【００２０】
さらに、前記通知手段は、自装置が圏外から圏内に復帰したときには即座に位置情報を送信する手段を備えることができる。これにより、圏外にあるときの不要な電力消費を回避しつつ圏内に復帰したときには速やかに位置情報を送信することができる。
【００２１】
また、前記送信する手段は、前記不揮発メモリ内の未送信情報を検索して当該未送信情報を送信する手段を備えることができる。これにより、圏外であっても位置監視を続行して位置情報を蓄積し、やがて圏内に復帰したときに、当該蓄積した位置情報を通知して有用に用いることができる。
【００２２】
また、前記通知手段は、自装置が前記スケジュール管理手段に登録されている移動先以外の位置に有るときであっても前回通知した位置に変更が生じるまでは位置情報の通知を禁止する手段を備えることができる。これにより、有事の際であっても、不要な位置情報の通知は行わずに節電することができる。
【００２３】
また、前記通知手段は、自装置が待ち受けている基地局に変更が生じたときには位置情報の通知を行う手段を備えることができる。これにより、例えば、ＧＰＳが使用不能の場所であっても、基地局のエリアが変更されたことを通知することにより、ＧＰＳと比較すると精度は落ちるものの位置監視を続行することができる。
【００２４】
また、前記通知手段は、位置情報の通知を、自装置が前記スケジュール管理手段に登録されている移動先以外の位置に有るときには自装置が前記スケジュール管理手段に登録されている移動先以外の位置にいないときと比べて短い周期で実行する手段を備えることができる。これにより、有事の場合には、通常の場合と比較して精度の高い位置監視を行うことができる。
【００２５】
また、前記通知手段は、自装置の電池残量に応じて位置情報の通知を実行する周期を変更する手段を備えることができる。これにより、電池残量が少なくなったときには、位置監視周期は長くなっても位置監視を長時間続行させることができる。
【００２６】
また、本発明を方法の観点から捉えると、本発明は、自装置の位置を測定し、この測定した自装置の位置情報を所定の宛先に通知する携帯電話端末装置が実行する位置情報通知方法である。
【００２７】
ここで、本発明の特徴とするところは、自装置がユーザによって予め登録されている移動先以外の位置に有るときには当該位置の情報を所定の宛先に通知することを特徴とする。
【００２８】
また、自装置がユーザによって予め登録されている移動先以外の位置に有るときにはユーザによって予め設定されている位置情報通知の実行時間帯以外の時間帯であっても当該位置の情報を所定の宛先に通知することができる。
【００２９】
また、自装置本体の電源がＯＦＦ状態であっても予め設定された位置確認タイミングにおいては位置測定および位置情報通知の動作に最低限必要となる機能に限定して電源をＯＮ状態とすることができる。さらに、自装置が予め登録されている移動先以外の位置に所定時間以上有り、電源がＯＮ状態であるときには、電源をＯＦＦ状態とすることができる。
【００３０】
また、不揮発メモリに測定した位置情報または自装置の待ち受けしている基地局の情報または自装置が圏内であるかあるいは圏外であるかの情報を現在時刻情報と共に記録することができる。
【００３１】
また、自装置が予めユーザによって登録されている移動先以外の位置に有るときであっても前回通知した位置に変更が生じるまでは位置情報の通知を禁止することができる。
【００３２】
また、自装置が待ち受けている基地局に変更が生じたときには位置情報の通知を行うことができる。
【００３３】
また、自装置が圏外に有るときには位置情報の通知を禁止することができる。
【００３４】
また、自装置が圏外から圏内に復帰したときには即座に位置情報を送信することができる。さらに、このときに、前記不揮発メモリ内の未送信情報を検索して当該未送信情報を送信することができる。
【００３５】
また、位置情報の通知を、自装置がユーザによって予め登録されている移動先以外の位置に有るときには自装置がユーザによって予め登録されている移動先以外の位置にいないときと比べて短い周期で実行することができる。
【００３６】
また、自装置の電池残量に応じて位置情報の通知を実行する周期を変更することができる。
【００３７】
また、本発明をプログラムの観点から捉えると、本発明のプログラムは、情報処理装置にインストールすることにより、その情報処理装置に、本発明の携帯電話端末装置における前記各手段の論理演算機能または制御機能に相応する機能を実現させるプログラムである。
【００３８】
本発明のプログラムは記録媒体に記録されることにより、前記情報処理装置は、この記録媒体を用いて本発明のプログラムをインストールすることができる。あるいは、本発明のプログラムを保持するサーバからネットワークを介して直接前記情報処理装置に本発明のプログラムをインストールすることもできる。
【００３９】
これにより、汎用の情報処理装置を用いて、本発明の携帯電話端末装置における各手段の論理演算機能または制御機能に相応する機能を実現することができる。
【発明の効果】
【００４０】
本発明によれば、位置確認機能に重点を置いた携帯電話端末装置を提供することができる。例えば、本発明により、監視したい携帯電話端末装置のユーザが登録したスケジュールとは異なった場所にいる場合の位置の追跡が可能となる。また、携帯電話端末装置の電源がＯＦＦ状態であるときでも位置の追跡が可能となる。また、位置の追跡中における電池寿命を延ばすことが可能となる。
【発明を実施するための最良の形態】
【００４１】
本発明実施例の携帯電話端末装置の構成を図１を参照して説明する。図１は本実施例の携帯電話端末装置のブロック構成図である。
【００４２】
アンテナ１は、通信部２に接続され、通信部２は、位置情報通知部３により制御されて通信を行う。なお、通信部２は、携帯電話としての通信を行うための機能を有しており、位置情報通知部３以外にも携帯電話端末装置の本来の機能である通話やメールに関する機能ブロックにより制御されて通信を行うが、図１では、本実施例の説明に用いない機能ブロックは図示を省略した。アンテナ９は、位置測定部１０に接続され位置情報管理部４にて制御される。位置測定部１０は、携帯電話端末装置の現在位置を測定するためのＧＰＳを内蔵する。
【００４３】
すなわち、本実施例の携帯電話端末装置は、自装置の位置測定を行う位置測定部１０と、この位置測定部１０により測定した自装置の位置情報を所定の宛先に通知する位置情報通知部３とを備える。
【００４４】
ここで、本実施例の携帯電話端末装置が従来と異なるところは、予めユーザが移動先情報を登録するスケジュール管理部５が設けられ、位置情報通知部３は、自装置がこのスケジュール管理部５に登録されている移動先以外の位置に有るときには当該位置の情報を所定の宛先に通知するところにある。
【００４５】
所定の宛先とは、例えば、本実施例の携帯電話端末装置の所持者が児童であれば当該児童の保護者の持つ携帯電話端末装置あるいはパーソナル・コンピュータのアドレスである。または、特定のサーバでもよい。また、位置情報の形式は、テキスト情報、音声情報、地図などの図形情報を適宜選択するものとする。
【００４６】
また、位置情報通知の実行時間帯を予めユーザにより設定された時間帯に限定する監視時間管理部６を備え、位置情報通知部３は、自装置がスケジュール管理部５に登録されている移動先以外の位置に有るときには監視時間管理部６に予め設定されている前記実行時間帯以外の時間帯であっても当該位置の情報を所定の宛先に通知する。
【００４７】
また、自装置本体の電源がＯＦＦ状態であっても予め設定された位置確認タイミングにおいては位置測定部１０および位置情報通知部３の動作に最低限必要となる機能に限定して電源をＯＮ状態とする電源管理部７を備える。さらに、電源管理部７は、自装置がスケジュール管理部５に登録されている移動先以外の位置に所定時間以上有り、電源がＯＮ状態であるときには、電源をＯＦＦ状態とする。
【００４８】
また、不揮発メモリである位置情報蓄積部８を備え、この位置情報蓄積部８に位置測定部１０により測定した位置情報（測定に失敗したときにはその旨の情報）または自装置の待ち受けしている基地局の情報または自装置が圏内であるかあるいは圏外であるかの情報を現在時刻情報と共に記録する。
【００４９】
また、位置情報通知部３は、自装置が圏外に有るときには位置情報の通知を禁止する。そして、位置情報通知部３は、自装置が圏外から圏内に復帰したときには即座に位置情報を送信する。このときに、位置情報通知部３は、位置情報蓄積部８内の未送信情報を検索して当該未送信情報を送信する。
【００５０】
また、位置情報通知部３は、自装置がスケジュール管理部５に登録されている移動先以外の位置に有るときであっても前回通知した位置に変更が生じるまでは位置情報の通知を禁止する。
【００５１】
また、位置情報通知部３は、自装置が待ち受けている基地局に変更が生じたときには位置情報の通知を行う。
【００５２】
また、位置情報通知部３は、位置情報の通知を、自装置がスケジュール管理部５に登録されている移動先以外の位置に有るときには自装置がスケジュール管理部５に登録されている移動先以外の位置にいないときと比べて短い周期で実行する。
【００５３】
また、位置情報通知部３は、自装置の電池残量に応じて位置情報の通知を実行する周期を変更する。
【００５４】
次に、本実施例の携帯電話端末装置を用いて行われる位置情報通知方法を図２〜図６を参照して説明する。
【００５５】
（第一実施例）
第一実施例の位置情報通知方法を図２を参照して説明する。図２は第一実施例の位置情報通知方法の手順を示すフローチャートである。
【００５６】
処理Ａ１にて監視時間管理部６は、現在時刻が監視時間内かつ位置確認タイミングか否かを判定する。監視時間とは、位置確認を行う時間帯であり、ユーザにより監視時間管理部６に設定されるものとする。例えば、監視時間７：００−１７：００と設定する。また、監視時間は、登録されたスケジュールの前ｎ時間（ｎ：任意）、スケジュールの後ｍ時間（ｍ：任意）と自動で設定されるようにすることもできる。位置確認タイミングは、定期的なタイミングとしてもよいし、ユーザが任意に設定したタイミングとしてもよい。
【００５７】
処理Ａ１にて監視時間内かつ位置確認タイミングとなった場合は、Ｙｅｓとなり処理Ａ２へ移行する。処理Ａ２では位置情報管理部４が位置測定部１０を用いて位置情報を取得する。この際、携帯電話端末装置の電源がＯＦＦ状態であれば、監視時間管理部６は電源管理部７に対して位置確認タイミング情報を送出することにより電源をＯＮ状態にするが、電池寿命を考慮してＬＣＤ表示や各種バックライトを点灯させずに処理Ａ２以降を行ってもよい。このように処理することで一見、携帯電話端末装置は電源ＯＦＦ状態のままであるため、位置確認されていることに犯人等が気付かないという利点もある。位置情報の取得は位置測定部１０のＧＰＳを用いて行われる。
【００５８】
次に、処理Ａ３に移行し、位置情報通知部３は、位置情報管理部４が位置測定部１０を用いて取得した位置情報から現在位置がスケジュール管理部５に予めスケジュールで登録されている場所か否かを判定する。スケジュールで登録されている場所であればＹｅｓとして処理Ａ６に移行する。また、スケジュールで登録されている場所でなければＮｏとして処理Ａ４に移行する。スケジュールとは、例えば、８：００−１４：００：ｘｘ小学校、１５：００−１６：００：ｙｙ塾などと設定する。また、処理Ａ２にて正常に位置情報を取得できなかった場合もＮｏと判定する。また、登録した場所から半径ｎｋｍ（ｎ：任意）以内であればＹｅｓと判定してもよい。
【００５９】
処理Ａ４では、スケジュールと異なった場所にいるため危険である可能性が考えられる。よって、位置情報通知部３は、ユーザにより設定されている監視時間を解除（無効化）し、設定された監視時間以降も追跡可能とする。
【００６０】
処理Ａ４後は、処理Ａ５に移行して位置情報を送信する。位置情報は、指定アドレスにメールしてもよいし、指定サーバへ記録してもよし、あるいは、指定先に音声送信してもよい。送信する位置情報は、処理Ａ２にて取得した位置情報およびその取得時間および待ち受けしている基地局情報とする。待ち受けしている基地局情報とは、通信部２が携帯電話網から取得する基地局情報であり、基地局の位置から携帯電話端末装置の大まかな位置を特定することが可能である。
【００６１】
次に、処理Ａ６に移行する。処理Ａ６では、不揮発メモリである位置情報蓄積部８に、取得した位置情報および待ち受けしている基地局情報および圏内／圏外の情報を現在時刻と共に記録する。このように処理することにより、携帯電話端末装置のみ発見された場合でも過去の位置情報を確認することができる。処理Ａ２にて正常に位置情報を取得できなかった場合は、取得できなかったという情報を格納する。
【００６２】
次に、処理Ａ７へ移行する。処理Ａ７では、電源管理部７は、電池寿命を考慮し携帯電話端末装置の電源をＯＦＦ状態とする。ただし、次回の位置確認タイミングのために電源管理部７内のタイマ１１だけは設定する必要がある。処理Ａ７では、ユーザ設定によっては携帯電話端末装置の電源をＯＮ状態のままとしてもよい。ただし、電源管理部７は、図２のフローの実行回数をカウントし、フローが複数回実行されたときに、処理Ａ３にて複数回スケジュールで登録されていない場所にいると判定された場合は、ユーザ設定が携帯電話端末装置をＯＮ状態のままとしていても強制的にＯＦＦ状態としてもよい。あるいは、処理Ａ３にてスケジュールで登録されていない場所にいると判定した場合の一定時間（タイマ１１により計時する）後に、強制的にＯＦＦ状態としてもよい。
【００６３】
このように処理を行うことにより、監視したい携帯電話端末装置が登録したスケジュールとは異なった場所にいる場合の位置の追跡が可能となり、携帯電話端末装置の電源ＯＦＦ時の位置の追跡も可能となる。さらに、携帯電話端末装置の電源をＯＦＦ状態とすることにより電池寿命を延ばすこともできる。さらに、携帯電話端末装置の電源をＯＦＦ状態とすることにより犯人等に位置監視が実行されていることを察知されない利点もある。
【００６４】
（第二実施例）
第二実施例の位置情報通知方法を図３を参照して説明する。図３は第二実施例の位置情報通知方法の手順を示すフローチャートである。
【００６５】
第一実施例と異なる点は、処理Ｂ１を追加した点である。処理Ａ３にて、位置情報通知部３は、スケジュールで登録した場所でない場合には処理Ｂ１に移行するが、今回処理Ａ２にて判定した位置情報と、前回の位置情報とを比較し、変更があればＹｅｓとして処理Ａ４に移行するようにしている。このように処理することで、位置の移動が無い場合には、処理Ａ５の位置情報送信処理を行わないようにでき、電池寿命を延ばすことができる。
【００６６】
（第三実施例）
第三実施例の位置情報通知方法を図４を参照して説明する。図４は第三実施例の位置情報通知方法の手順を示すフローチャートである。
【００６７】
第二実施例と異なる点は、処理Ｃ１を追加した点である。処理Ｃ１にて、位置情報通知部３は、待ち受けしている基地局情報が変更されているか否かを判定する。なお、位置情報通知部３は、通信部２から待ち受けしている基地局情報を取得する。待ち受けしている基地局情報が変更されている場合には、携帯電話端末装置が移動している可能性が考えられるため、処理Ａ１での位置確認タイミングを待たずに監視するように処理をする。このように処理することによりさらに緻密な位置監視が可能となる。
【００６８】
（第四実施例）
第四実施例の位置情報通知方法を図５を参照して説明する。図５は第四実施例の位置情報通知方法の手順を示すフローチャートである。
【００６９】
第三実施例と異なる点は、処理Ｄ１、Ｄ２を追加した点である。位置情報通知部３は、処理Ｂ１にて位置情報に変更がある場合には、処理Ｄ１に移行する。ここで携帯電話端末装置が圏内であれば処理Ａ４に移行し、圏外であれば処理Ａ６に移行するように処理し、圏外時の無駄な送信処理を回避する。
【００７０】
処理Ｄ２では、携帯電話端末装置が圏外から圏内に移行した場合は、割り込み処理として処理Ａ５に移行し、取得済みの最新の位置情報を送信する。ただし、処理Ａ２にて携帯電話端末装置の電源をＯＦＦ状態からＯＮ状態にした際は除くこととする。
【００７１】
このように処理することにより携帯電話端末装置が圏内に復帰した場合に、即座に取得済みの最新の位置情報の送信が可能となる。また、この際、圏外や送信失敗などにより送信できていない位置情報がある場合は、位置情報蓄積部８から読み出して全て送信してもよい。
【００７２】
（第五実施例）
第五実施例の位置情報通知方法を図６を参照して説明する。図６は第五実施例の位置情報通知方法の手順を示すフローチャートである。
【００７３】
第四実施例と異なる点は、処理Ｅ１、Ｅ２、Ｅ３、Ｅ４を追加した点である。処理Ａ３にて携帯電話端末装置がスケジュールで登録された場所にない場合には、危険がある可能性が考えられるため、位置情報通知部３は、監視時間管理部６に対して処理Ｅ２にて処理Ａ１の位置確認タイミングを「速く」に変更する旨指示する。例えば、通常は、１時間毎に位置を確認していたのであれば３０分毎に位置を確認するように変更する。
【００７４】
一方、処理Ａ３にてＹｅｓであった場合は、危険である可能性が低いため、位置確認タイミングは「通常」のままとする。このように処理を行うことにより危険のある可能性がある場合の監視を頻繁に行うことができるようになる。
【００７５】
さらに、携帯電話端末装置は電池により駆動するため電池寿命が非常に重要なポイントであるが、処理Ｅ３、Ｅ４にて、位置情報通知部３は、電源管理部７から通知された電池残量が規定値（任意）より小さい場合は、監視時間管理部６に対して処理Ａ１の位置確認タイミングを「遅く」に変更する旨指示する。例えば、通常は、１時間毎に位置を確認していたのであれば２時間毎に位置を確認するように変更する。このように処理することにより、さらに電池寿命を延ばすことができる。
【００７６】
（第六実施例）
第六実施例はプログラムの実施例であり、汎用の情報処理装置（例えば、携帯電話端末装置に搭載するマイクロ・コンピュータ・チップ）にインストールすることにより、その情報処理装置に、第一〜第五実施例で説明した携帯電話端末装置における各部の論理演算機能または制御機能に相応する機能を実現させるプログラムである。
【００７７】
第六実施例のプログラムは記録媒体に記録されることにより、汎用の情報処理装置は、この記録媒体を用いて第六実施例のプログラムをインストールすることができる。あるいは、第六実施例のプログラムを保持するサーバからネットワークを介して直接汎用の情報処理装置に第六実施例のプログラムをインストールすることもできる。
【００７８】
これにより、汎用の情報処理装置を用いて、第一〜第五実施例で説明した携帯電話端末装置における各部の論理演算機能または制御機能を実現することができる。
【産業上の利用可能性】
【００７９】
本発明によれば、位置確認機能に重点を置いた携帯電話端末装置を提供することができるので、子供や老人などの位置を正確に追跡することが可能となり、昨今、増加する傾向にある悪質犯罪等を防止することに寄与することができる。
【図面の簡単な説明】
【００８０】
【図１】本実施例の携帯電話端末装置のブロック構成図。
【図２】第一実施例の位置情報通知方法の手順を示すフローチャート。
【図３】第二実施例の位置情報通知方法の手順を示すフローチャート。
【図４】第三実施例の位置情報通知方法の手順を示すフローチャート。
【図５】第四実施例の位置情報通知方法の手順を示すフローチャート。
【図６】第五実施例の位置情報通知方法の手順を示すフローチャート。
【符号の説明】
【００８１】
１、９  アンテナ
２  通信部
３  位置情報通知部
４  位置情報管理部
５  スケジュール管理部
６  監視時間管理部
７  電源管理部
８  位置情報蓄積部
１０  位置測定部
１１  タイマ
【図１】
2007195034.tif 000003
【図２】
2007195034.tif 000004
【図３】
2007195034.tif 000005
【図４】
2007195034.tif 000006
【図５】
2007195034.tif 000007
【図６】
2007195034.tif 000008